(57)【要約】【課題】スチーム発生手段で発生したスチームミストがヒーターの熱風を受けて毛髪へ到達する前あるいは毛髪の内部に浸透する前に消滅することがないヘアードラーヤーを提供する。【解決手段】吸入口１１と吐出口１２とを有するハウジング１内の前記吸入口１１から吐出口１２に至る流路を空気流路２とし、空気流路２内に前記吸入口１１より空気を空気流路２に導入して下流側へ送風するための送風手段３を設けると共に、空気流路２の送風手段３よりも下流側の部分に該空気流路２ｂを流れる空気を加熱する加熱部４を設け、空気流路２の送風手段３を設けた部分の下流側で且つ加熱部４を設けた部分の上流側の部分から分流路５を分流させ、分流路５の途中にスチーム発生手段６と該スチーム発生手段６により発生したスチームミストを微細化する放電部７を設けた。【選択図】図１
2008264386.tif 000002
【特許請求の範囲】
【請求項１】
吸入口と吐出口とを有するハウジング内の前記吸入口から吐出口に至る流路を空気流路とし、空気流路内に前記吸入口より空気を空気流路に導入して下流側へ送風するための送風手段を設けると共に、空気流路の送風手段よりも下流側の部分に該空気流路を流れる空気を加熱する加熱部を設け、空気流路の送風手段を設けた部分の下流側で且つ加熱部を設けた部分の上流側の部分から分流路を分流させ、分流路の途中にスチーム発生手段と該スチーム発生手段により発生したスチームミストを微細化する放電部を設けて成ることを特徴とするヘアードライヤー。
【請求項２】
空気流路の分流路の入口を形成した部分の近傍に空気流路を流れる空気を分流路に導入する導入部を設けて成ることを特徴とする請求項１記載のヘアードライヤー。
【請求項３】
スチーム発生手段の外側に冷風が流れる冷風流路を設けて成ることを特徴とする請求項１又は２記載のヘアードライヤー。
【請求項４】
スチーム発生手段に放熱部を設けると共に、分流路を流れる空気を放熱部に供給する放熱路を設けて成ることを特徴とする請求項１乃至３のいずれか一項に記載のヘアードライヤー。
【請求項５】
分流路の出口に微細化したスチームミストを使用者の毛髪に誘導するための誘導部を設けて成ることを特徴とする請求項１乃至４のいずれか一項に記載のヘアードライヤー。
【請求項６】
マイナスイオン発生手段を設けて成ることを特徴とする請求項１乃至５のいずれか一項に記載のヘアードライヤー。
【請求項７】
分流路内にマイナスイオン発生手段を設けて成ることを特徴とする請求項６記載のヘアードライヤー。
【発明の詳細な説明】
【技術分野】
【０００１】
本発明はスチーム発生手段と該スチーム発生手段により発生したスチームを微細化する放電部を備えたヘアードライヤーに関するものである。
【背景技術】
【０００２】
従来から、スチーム発生手段によりスチームミストを発生させるヘアードライヤーが知られている（例えば特許文献１参照）。これは、ハウジング内に形成される流路中に、送風手段と、加熱部と、スチーム発生手段とを備えたもので、送風手段によりハウジング内に空気を取り入れて、加熱部で加熱すると共にスチーム発生手段によりスチームミストを発生させて使用者の毛髪へと供給するものである。
【特許文献１】実開昭５５−１５９００３号公報
【発明の開示】
【発明が解決しようとする課題】
【０００３】
しかしながら、このような従来のヘアードライヤーにおいては、スチーム発生手段で発生したスチームミストがヒーターの熱風を受けてしまい、スチーム発生手段で発生したスチームミストがヒーターの熱風を受けてしまい、スチームミストのミストが使用者の毛髪へ到達する前に消滅してしまい、スチームミストが使用者の毛髪へ到達しないものであった。また、スチームミストが毛髪へ到達しても、毛髪の内部に浸透する前にヘアードライヤーからの熱風にて蒸発して消滅してしまうものであった。
【０００４】
本発明は上記従来の問題点に鑑みて発明したものであって、その目的とするところは、  スチーム発生手段で発生したスチームミストがヒーターの熱風を受けて毛髪へ到達する前あるいは毛髪の内部に浸透する前に消滅することがないヘアードラーヤーを提供することを課題とするものである。
【課題を解決するための手段】
【０００５】
上記課題を解決するために本発明の請求項１に係るヘアードライヤーは、吸入口１１と吐出口１２とを有するハウジング１内の前記吸入口１１から吐出口１２に至る流路を空気流路２とし、空気流路２内に前記吸入口１１より空気を空気流路２に導入して下流側へ送風するための送風手段３を設けると共に、空気流路２の送風手段３よりも下流側の部分に該空気流路２ｂを流れる空気を加熱する加熱部４を設け、空気流路２の送風手段３を設けた部分の下流側で且つ加熱部４を設けた部分の上流側の部分から分流路５を分流させ、分流路５の途中にスチーム発生手段６と該スチーム発生手段６により発生したスチームミストを微細化する放電部７を設けて成ることを特徴とするものである。
【０００６】
このような構成とすることで、スチーム発生手段６で発生したスチームミストが加熱部４の熱風を受けて、使用者の毛髪へ到達する前あるいは使用者の毛髪の内部に浸透する前に、ヘアードライヤーからの熱風によって蒸発して消滅してしまうといったことがないものである。
【０００７】
また、請求項２に係る発明は、請求項１に係る発明において、空気流路の分流路５の入口５１を形成した部分の近傍に空気流路を流れる空気を分流路５に導入する導入部１３を設けて成ることを特徴とするものである。
【０００８】
このような構成とすることで、空気流路を流れる空気を分流路５に効率良く導入することが可能となり、より一層スチームミストを使用者の毛髪へ到達させることができる。
【０００９】
また、請求項３に係る発明は、請求項１又は２に係る発明において、スチーム発生手段６の外側に冷風が流れる冷風流路５６を設けて成ることを特徴とするものである。
【００１０】
このような構成とすることで、スチーム発生手段６からの余剰熱が外部に伝わって使用者が火傷するのを防止するものである。
【００１１】
また、請求項４に係る発明は、請求項１乃至３のいずれか一項に係る発明において、スチーム発生手段６に放熱部６４を設けると共に、分流路５を流れる空気を放熱部６４に供給する放熱路９を設けて成ることを特徴とするものである。
【００１２】
このような構成とすることで、スチーム発生手段６からの余剰熱が外部に伝わって使用者が火傷するのをより一層防止することができる。
【００１３】
また、請求項５に係る発明は、請求項１乃至４のいずれか一項に係る発明において、分流路５の出口５２に微細化したスチームミストを使用者の毛髪に誘導するための誘導部（スチームノズル５５）を設けて成ることを特徴とするものである。
【００１４】
このような構成とすることで、マイナスに帯電したスチームミストが吐出されて使用者の毛髪に効率良く到達させることができる。
【００１５】
また、請求項６に係る発明は、請求項１乃至５のいずれか一項に係る発明において、マイナスイオン発生手段８を設けて成ることを特徴とするものである。
【００１６】
このような構成とすることで、微細化されたスチームミストをマイナスに帯電させて、整髪により又は乾燥によりプラスに帯電した毛髪に引き寄せられて、より微細化されたスチームミストを使用者の毛髪へ到達させることが可能となり、使用者の毛髪の内部に浸透させることができ、また、プラスに帯電した毛髪の電気力を打ち消すことができる。
【００１７】
また、請求項７に係る発明は、請求項６に係る発明において、分流路５内にマイナスイオン発生手段８を設けて成ることを特徴とするものである。
【００１８】
このような構成とすることで、微細化されたスチームミストをマイナスに帯電させて、整髪により又は乾燥によりプラスに帯電した毛髪に引き寄せられて、より微細化されたスチームミストを使用者の毛髪へ到達させることが可能となり、使用者の毛髪の内部に浸透させることができ、また、プラスに帯電した毛髪の電気力を打ち消すことができる。
【発明の効果】
【００１９】
本発明においては、スチーム発生手段で発生したスチームミストが加熱部４の熱風を受けて、使用者の毛髪へ到達する前あるいは使用者の毛髪の内部に浸透する前に、ヘアードライヤーからの熱風によって蒸発して消滅してしまうのを防止し、使用者の毛髪へ到達してその内部にまで浸透させることが可能となる。
【発明を実施するための最良の形態】
【００２０】
以下、本発明の一実施形態について図１乃至図４に基づいて説明する。
【００２１】
本実施形態におけるヘアードライヤーは、図１、図４に示すように、機器が収納されるハウジング１にて本体部が形成される。
【００２２】
ハウジング１は、内部に空気流路２が形成される略筒状側面を有するもので、下流側の側端部には空気を吐出する吐出口１２が形成されると共に、上流側の上壁部には空気を吸入する吸入口１１が形成してある。
【００２３】
空気流路２は、ハウジング１内部（本実施形態ではハウジング１及び後述するノズル６内部）の吸入口１１より吐出口１２に至る流路であり、空気流路２内（好ましくは上流側端部近傍）にはファン３１及び該ファン３１を駆動するモーター３２からなる送風手段３が設けてある。ファン３１は、ファン３１の上流側に形成してある上記吸入口１１より空気を吸入して空気流路２内に導入し、空気流路２の下流側に空気を搬送するものである。
【００２４】
本実施形態では、略筒状側面を有するハウジング１下流側の端部すなわち吐出口１２側の端部にノズル接続部１４が形成してあると共に、このノズル接続部１４に下流側程小径となるように絞った筒状のノズル６が着脱自在に設けてあり、ハウジング１及びノズル６の内部が空気流路２となっている。
【００２５】
空気流路２の送風手段３を設けた部分よりも下流側の部分には、この空気流路２を流れる空気を加熱するための加熱部４が設けてある。加熱部４は、絶縁板４１と絶縁板４１の外側に巻線されたヒーター４２とで構成されている。
【００２６】
また、空気流路２の送風手段３を設けた部分の下流側で且つ加熱部４を設けた部分の上流側の部分からは、分流路５が分流してある。分流路５は、ハウジング１の側面から外方に連設される筒状をした筒体５０の内部に形成され、分流路５の入口５１においてハウジング１内の空気流路２と連通している。また、空気流路の分流路５の５４を形成した部分の近傍には、空気流路を流れる空気を分流路５に効率良く導入するための板状をした導入部１３が形成してある。
そして、分流路５内には、この空気流路２を流れる空気にスチームミストをのせるためのスチーム発生手段６が設けてある。スチーム発生手段６は、本実施形態では図２に示すように、スチームミストとする液体を収容するタンク６１と、タンク６１内の液体よりスチームミストを発生させるためのスチームヒーター６２と、タンク６１内の液体がスチームヒーター６２全体に接するようにするためのフェルト６３と、で構成される。また、スチーム発生手段６には、ハウジング１外へ余剰熱が伝わって使用者が火傷するのを防止するため、余剰熱を放散するための放熱部６４が分流路５内に位置するように設けてある。本実施形態では、放熱部６４へ分流路５の空気を流すため、分流路５の前記放熱部６４を設けた部分の下流側の部分から放熱路９を分岐形成するもので、放熱路９は分流路５を形成するための筒体５０の側壁に開口を形成して放熱路９の入口５４とすると共に、分流路５を流れる空気を放熱路９の入口５４から放熱路９に導入するための放熱板５３が設けてある。
【００２７】
また、分流路５内に配設されるスチーム発生手段６（特にスチームヒーター６２）の周囲に冷風流路５６が形成されるように、スチーム発生手段６を分流路５内の中央部に設けて周囲を冷風流路５６となる空洞とし、更に、スチームヒーター６２の外面には断熱材６５が設けてあり、スチームヒーター６２からの余剰熱が外部に伝わって使用者が火傷するのをより一層確実に防止するものである。
【００２８】
また分流路５内には、スチーム発生手段６により発生したスチームミストを微細化する放電部７が設けてあると共に、該放電部７に並設して図３に示すマイナスイオン発生手段８としての放電部８１が設けてある。なおマイナスイオン発生手段は、図５、図６に示す例のように、分流路５の内部ではなく外部に設けてもよい。
【００２９】
また分流路５には、マイナスに帯電したスチームミストが吐出されて使用者の毛髪に到達するように誘導する誘導部として、分流路５の出口５２に略筒状をしたスチームノズル５５が形成してある。スチームノズル５５は、吐出されるマイナスに帯電したスチームミストがノズルに付着しないように、ノズルの吐出方向イに対してスチームノズル５５の吐出方向ロを離れる方向に２０°までの範囲で（好ましくは１０〜１５°であり、本実施形態では１０°）傾けて形成してある。
【００３０】
また、ハウジング１の下側には、使用者が把持する把持部１６が下方に向けて突設してあり、把持部１６内には、スチームミストを微細化する放電部７とマイナスイオン発生手段８の放電部８１の放電制御を行う電子制御回路８２と、把持部１６には送風手段３のモーター３２、加熱部４のヒーター４２、電子制御回路８２への通電と駆動のＯＮ／ＯＦＦを切り替えて制御を行うスライドスイッチ１７が設けてある。
【００３１】
このヘアードライヤーの動作について説明する。使用者がハウジング１の下部に設けられた把持部１６を把持してスライドスイッチ１７をＯＮにすると、送風手段３のモーター３２が駆動されてファン３１が回転する。ファン３１が回転すると吸入口１１より空気が吸入されて、空気流路２を流れ、加熱部４のヒーター４２が駆動されて加熱が行われる。
【００３２】
空気流路２を流れた空気は、加熱部４により加熱された後、ハウジング１の吐出口１２より吐出されて使用者の毛髪へと送風される。
【００３３】
また、スチーム発生手段６が駆動して、タンク６１よりフェルト６３を介してスチームヒーター６２に供給される液体がスチームミストとなると共に、スチームミストを微細化する放電部７が駆動して前記スチームミストが微細化され、更に同時に、マイナスイオン発生手段８の放電部８１が駆動して、微細化されたスチームミストがマイナスに帯電する。ここで、ハウジング１の吸入口１１より吸入された空気は、大部分が空気流路２を流れるが、一部が導入部１３により分流路５に導入され、更に、分流路５に導入された空気は放熱板５３によって一部が放熱路９へと流れる。分流路５を流れる空気は、スチーム発生手段６の外側の冷風流路５６を流れてスチーム発生手段６を冷却し、スチーム発生手段６（特にスチームヒーター６２）からの余剰熱が外部に伝わるのを抑制すると共に、マイナスに帯電した微細化されたスチームミストを分流路５の出口５２から吐出させ、使用者の毛髪へと送風される。放熱路９を流れる空気により、放熱部６４が冷却されて、余剰熱が外部に伝わるのをより一層抑制することができる。
【００３４】
本発明においては、上記のように、空気流路２の送風手段３を設けた部分の下流側で且つ加熱部４を設けた部分の上流側の部分から分流路５を分流させると共に、分流路５の途中にスチーム発生手段６とこのスチーム発生手段６により発生したスチームミストを微細化する放電部７を設けたことで、スチーム発生手段６で発生したスチームミストが加熱部４の熱風を受けて、使用者の毛髪へ到達する前あるいは使用者の毛髪の内部に浸透する前に、ヘアードライヤーからの熱風によって蒸発して消滅してしまうのを防止し、使用者の毛髪へ到達してその内部にまで浸透することが可能となる。
【００３５】
また、微細化されたスチームミストをマイナスに帯電させることにより、整髪により又は乾燥によりプラスに帯電した毛髪に引き寄せられて、より微細化されたスチームミストを使用者の毛髪へ到達させることが可能となり、使用者の毛髪の内部に浸透させることができ、また、プラスに帯電した毛髪の電気力を打ち消すことができる。
【図面の簡単な説明】
【００３６】
【図１】本発明の一実施形態の縦断面図である。
【図２】同上におけるスチーム発生手段の断面図である。
【図３】同上におけるマイナスイオン発生手段の断面図である。
【図４】同上の正面図である。
【図５】他の実施形態の縦断面図である。
【図６】同上の正面図である。
【符号の説明】
【００３７】
１    ハウジング
１１  吸入口
１２  吐出口
２    空気流路
３    送風手段
４    加熱部
５    分流路
６    スチーム発生手段
７    放電部
【図１】
2008264386.tif 000003
【図２】
2008264386.tif 000004
【図３】
2008264386.tif 000005
【図４】
2008264386.tif 000006
【図５】
2008264386.tif 000007
【図６】
2008264386.tif 000008